(57)【要約】【課題】ライブビュー表示を拡大表示した際の不具合を解消すること。【解決手段】ユーザにより回転操作が可能な操作部材であるフォーカスリング２３と、該フォーカスリング２３の回転速度または回転角度と回転方向とを検出し、検出結果に従ってフォーカスレンズ２１の駆動を制御するフォーカスレンズ駆動制御手段として機能するフォーカスリング回転検出部２４、レンズＣＰＵ２５及びフォーカス駆動部２２と、ライブビュー表示倍率の変更を指示する指示部として機能する表示倍率指示部１６と、を有するライブビュー表示が可能なデジタルカメラにおいて、表示倍率指示部１６によるライブビュー表示倍率の変更指示に伴って、フォーカスレンズ２１の駆動感度を変更する。【選択図】図１
2010226372.tif 000002
【特許請求の範囲】
【請求項１】
ユーザにより回転操作が可能な操作部材と、
前記操作部材の回転速度または回転角度と回転方向とを検出し、検出結果に従ってフォーカスレンズの駆動を制御するフォーカスレンズ駆動制御手段と、
ライブビュー表示倍率の変更を指示する指示部と、
を有するライブビュー表示が可能なデジタルカメラにおいて、
前記指示部によるライブビュー表示倍率の変更指示に伴って、前記フォーカスレンズ駆動手段のフォーカスレンズ駆動感度を変更することを特徴とするデジタルカメラ。
【請求項２】
前記ライブビュー表示倍率を拡大する指示に伴って、前記フォーカスレンズ駆動感度を下げることを特徴とする請求項１に記載のデジタルカメラ。
【請求項３】
光学的に手振れを補正する手振れ補正ユニットと、
ライブビュー表示倍率の変更を指示する指示部と、
を有するライブビュー表示が可能なデジタルカメラにおいて、
前記指示部によるライブビュー表示倍率の変更指示に伴って、前記手振れ補正ユニットの手振れ補正感度を変更することを特徴とするデジタルカメラ。
【請求項４】
前記ライブビュー表示倍率を拡大する指示に伴って、前記手振れ補正感度を上げることを特徴とする請求項１に記載のデジタルカメラ。
【発明の詳細な説明】
【技術分野】
【０００１】
本発明は、デジタルカメラに関し、特に、ライブビュー表示が可能なデジタルカメラに関する。
【背景技術】
【０００２】
レンズ一体型のコンパクトデジタルカメラでは、多機能、高画質化が進展するに伴い、光学ファインダと同じ様に、撮影時の画角の視認や、微妙なフォーカス調整といった操作を表示装置で行いたいという要求に対して、撮像素子上に結像している像を動画像の映像として、液晶モニタ等に表示するスルー画表示（以下、ライブビュー）機能を備えたデジタルカメラが普及している。また、近年では、コンパクトデジタルカメラだけでなく、レンズ交換式デジタルレフカメラにおいても、このライブビュー機能を搭載したものも見られるようになってきている。
【０００３】
このライブビュー機能の動作は、通常、例えば図７に示すようにデジタルカメラ１００にて被写体２００を撮影しようとするとき、デジタルカメラ１００において、撮像素子から定期的な間隔で画素間引きあるいは画素加算などを行いながら電荷を読み出して画像信号を生成し、撮影における画角等を決定する為に、図８（Ａ）に示すように最終的に液晶モニタ１０１等へ表示する動作である。
【０００４】
このようなライブビュー機能を備えるデジタルカメラにおいて、ユーザかマニュアルフォーカスを行うことが可能なものでは、より精度良く合焦させるため、例えば特許文献１に開示されているような、液晶モニタ１０１等に表示されているライブビュー表示を拡大表示する機能をさらに備えた機種も増えてきている。これは、図８（Ａ）に示すようにユーザが手動操作により拡大したい部分（拡大表示枠１０２の部分）を選ぶことで、図８（Ｂ）に示すように、その拡大表示枠１０２の部分を液晶モニタ１０１等の画面全体に拡大表示するものである。
【先行技術文献】
【特許文献】
【０００５】
【特許文献１】特開平５−２４４４７１号公報
【発明の概要】
【発明が解決しようとする課題】
【０００６】
しかし、ライブビュー表示を図８（Ｂ）に示すような拡大表示とすると、フォーカス移動量に対する表示画面でのボケ量が、より見え易くなるという問題が発生する。
【０００７】
ここで、表示倍率によるボケの違いの原理を説明する。
【０００８】
焦点深度（φ）の計算式は、
φ＝Ｋ×Ｆ×δ
から求まる。但しここで、ＦはレンズのＦナンバ、δは許容錯乱円径、Ｋは係数である。
【０００９】
図８（Ａ）に示すような全体表示の場合は、ボケとして許容可能な許容錯乱円径は液晶モニタ１０１等の表示デバイスの画素数に応じた解像度となるので、許容錯乱円径が大きく、焦点深度が深くなるため、ユーザにはフォーカス移動量が大きくてもボケの変化が判別できない。一方、図８（Ｂ）に示すような拡大表示の場合（特に表示デバイスの画素数と同じ画素数のイメージャ領域を表示する場合）は、許容錯乱円径がイメージャの画素ピッチとなるため、焦点深度が浅くなり、少しのフォーカス移動でもボケの変化が見えるようになる。
【００１０】
従って、マニュアルでフォーカス調節可能なデジタルカメラでは、拡大表示のマニュアルフォーカス操作には繊細さが要求されることとなる。特に、レンズ交換式デジタルカメラは、コンパクトカメラと比べて撮像素子が大きく、レンズＦ値の小さなものが選択可能なため、焦点深度が浅くなり易いので、さらにその要求は厳しいものとなる。
【００１１】
また、ライブビュー表示を図８（Ｂ）に示すような拡大表示とすると、手振れ補正機能を備えたデジタルカメラでは、その手振れ補正の駆動量に対する表示画面上でのブレ量が、より見え易くなるという問題も発生する。
【００１２】
ここで、表示倍率による手振れ量の違いの原理を説明する。
【００１３】
図８（Ａ）に示すような全体表示の場合は、表示デバイスの画素数に応じた解像度となるので、許容錯乱円径が大きく、許容錯乱円径以上のＸ−Ｙ方向への移動がないと、その移動は表示画像には反映されない。一方、図８（Ｂ）に示すような拡大表示の場合（特に表示デバイスの画素数と同じ画素数のイメージャ領域を表示する場合）は、許容錯乱円径がイメージャの画素ピッチとなるため、少しのＸ−Ｙ方向の移動でも表示画面で動いているのが見えてしまう。
【００１４】
本発明は、上記の点に鑑みてなされたもので、ライブビュー表示を拡大表示した際の不具合を解消することが可能なデジタルカメラを提供することを目的とする。
【課題を解決するための手段】
【００１５】
本発明のデジタルカメラの一態様は、
ユーザにより回転操作が可能な操作部材と、
前記操作部材の回転速度または回転角度と回転方向とを検出し、検出結果に従ってフォーカスレンズの駆動を制御するフォーカスレンズ駆動制御手段と、
ライブビュー表示倍率の変更を指示する指示部と、
を有するライブビュー表示が可能なデジタルカメラにおいて、
前記指示部によるライブビュー表示倍率の変更指示に伴って、前記フォーカスレンズ駆動手段のフォーカスレンズ駆動感度を変更することを特徴とする。
【００１６】
また、本発明のデジタルカメラの別の態様は、
光学的に手振れを補正する手振れ補正ユニットと、
ライブビュー表示倍率の変更を指示する指示部と、
を有するライブビュー表示が可能なデジタルカメラにおいて、
前記指示部によるライブビュー表示倍率の変更指示に伴って、前記手振れ補正ユニットの手振れ補正感度を変更することを特徴とする。
【発明の効果】
【００１７】
本発明によれば、ライブビュー表示を拡大表示した際の不具合を解消することが可能なデジタルカメラを提供することができる。
【図面の簡単な説明】
【００１８】
【図１】図１は、本発明の第１実施形態に係るデジタルカメラの構成を示す図である。
【図２】図２は、第１実施形態に係るデジタルカメラのフォーカスレンズ駆動感度変更動作を説明するためのフローチャートを示す図である。
【図３】図３は、第１実施形態に係るデジタルカメラにおける感度変更の例を説明するための、フォーカスリングの単位時間当たり回転数とフォーカスレンズの駆動量との関係を示す図である。
【図４】図４は、本発明の第２実施形態に係るデジタルカメラの構成を示す図である。
【図５】図５は、第２実施形態に係るデジタルカメラの手振れ補正感度変更動作を説明するためのフローチャートを示す図である。
【図６】図６は、第２実施形態に係るデジタルカメラにおける感度変更の例を説明するための、手振れ検出量と補正駆動量との関係を示す図である。
【図７】図７は、デジタルカメラによる撮影状況を示す図である。
【図８】図８（Ａ）は、ライブビュー表示の例を示す図であり、図８（Ｂ）は、ライブビュー表示の拡大表示の例を示す図である。
【発明を実施するための形態】
【００１９】
以下、本発明を実施するための形態を図面を参照して説明する。
【００２０】
［第１実施形態］
本第１実施形態は、ライブビュー表示が拡大された場合であっても容易にマニュアルにてフォーカスさせることが可能なデジタルカメラを提供しようとするものである。
【００２１】
本第１実施形態に係るデジタルカメラは、図１に示すように、ボディ部１０とレンズ部２０とからなるレンズ交換式デジタルカメラである。
【００２２】
上記レンズ部２０は、上記ボディ部１０に対して着脱自在に構成された交換レンズとして提供されるものであり、フォーカスレンズ２１、フォーカス駆動部２２、フォーカスリング２３、フォーカスリング回転検出部２４、レンズＣＰＵ２５、通信部２６等を備える。
【００２３】
ここで、フォーカスレンズ２１は、被写体からの光束を結像する撮影光学系であり、フォーカス駆動部２２によって光軸方向に駆動することでフォーカスを調整できるようになっている。デジタルカメラでは、このフォーカス調整はオートフォーカス（ＡＦ）機能により自動で行われるが、ユーザがマニュアル操作でフォーカス調整可能な機種も存在する。フォーカスリング２３は、そのためのユーザの操作部材である。このフォーカスリング２３は、ユーザにより回転操作が可能な操作部材であり、その回転方向でフォーカスレンズ２１の駆動方向を指示し、その回転速度または回転角度によりフォーカスレンズ２１の駆動量を指示するように構成されている。フォーカスリング回転検出部２４は、このフォーカスリング２３の回転方向と回転速度または回転角度とを検出し、その検出結果をレンズＣＰＵ２５に入力する。レンズＣＰＵ２５は、ボディ部１０と通信部２６を介して通信を行って、当該レンズ部２０内の各部を制御するものであり、上記フォーカスリング回転検出部２４からの検出結果に従って、上記フォーカス駆動部２２へ駆動指示を行うことで、上記フォーカスレンズ２１のフォーカス位置を調整する機能を備える。また、ＡＦのために、上記フォーカスレンズ２１のフォーカス位置を検出する不図示フォーカスエンコーダの検出結果を通信部２６を介してボディ部１０に送信したりする機能も備える。
【００２４】
一方、ボディ部１０は、カメラＣＰＵ１１、撮像素子１２、画像処理回路１３、表示回路１４、表示部１５、表示倍率指示部１６、ＭＦ／ＡＦ指示部１７、通信部１８等を備える。
【００２５】
ここで、カメラＣＰＵ１１は、当該ボディ部１０内の各部を制御するものである。撮像素子１２は、上記フォーカスレンズ２１を透過した被写体光を受光して、上記カメラＣＰＵ１１の制御の下に被写体像を映像信号に光電変換する。画像処理回路１３は、上記カメラＣＰＵ１１の制御の下に、上記撮像素子１２から定期的な間隔で画素間引きあるいは画素加算などを行いながら電荷を読み出して画像信号を生成し、ゲイン制御やサンプルホールド制御等の処理を施した後、Ａ／Ｄ変換して出力する。そして、表示回路１４は、そのＡ／Ｄ変換された画像信号を記憶するメモリを備え、上記カメラＣＰＵ１１の制御の下に、該メモリに記憶された画像信号を読み出し、Ｄ／Ａ変換して液晶モニタ等の表示部１５に表示することで、ライブビュー表示を行う。
【００２６】
表示倍率指示部１６は、そのライブビュー表示の倍率及び拡大する部分を指示する操作部材であり、これは、専用の操作ボタンとして提供されても良いし、表示部１５に階層メニューを表示して、その中から選択するような形態であっても構わない。
【００２７】
カメラＣＰＵ１１は、この表示倍率指示部１６によってユーザが指示した倍率でユーザが指定した部分の画像を表示するよう、画像処理回路１３または表示回路１４を制御する。例えば、拡大表示方式が、表示のみ変更するデジタル拡大方式の場合には、拡大する部分の画素を連続的に複数回読み出すよう表示回路１４を制御する。また、拡大表示方式が、撮像素子１２の読み出し方法まで変更する拡大方式の場合には、撮像素子１２から拡大する部分の画素の電荷をそのまま読み出す画素等倍読み出しを行うよう画像処理回路１３を制御する。さらに、カメラＣＰＵ１１は、この表示倍率指示部１６によってユーザが指示した倍率の表示倍率情報を通信部１８を介してレンズ部２０に送信する。
【００２８】
ＭＦ／ＡＦ指示部１７は、マニュアルフォーカス（ＭＦ）とＡＦとの切り替えを指示する操作部材であり、これは、専用の操作ボタンとして提供されても良いし、表示部１５に階層メニューを表示して、その中から選択するような形態であっても構わない。
【００２９】
カメラＣＰＵ１１は、このＭＦ／ＡＦ指示部１７によるユーザ指示に従ってＡＦ機能の開始／停止を制御すると共に、そのＭＦ／ＡＦ指示部１７による指示内容を示すＡＦ／ＭＦ情報を通信部１８を介してレンズ部２０に送信する。
【００３０】
レンズ部２０のレンズＣＰＵ２５は、ボディ部１０からの上記表示倍率情報及びＡＦ／ＭＦ情報を通信部２６を介して受信し、それらに従って、詳細は後述するように、フォーカスレンズ駆動感度を変更する。
【００３１】
なお、レリーズボタン操作による撮影要求がなされた際には、画像処理回路１３は、上記カメラＣＰＵ１１の制御の下に、上記撮像素子１２から全ての電荷を画素等倍で読み出して画像信号を生成し、ゲイン制御やサンプルホールド制御等の処理を施した後、Ａ／Ｄ変換して出力する。そして、そのＡ／Ｄ変換された画像信号に、不図示の圧縮伸張回路により上記カメラＣＰＵ１１の制御の下に、ＪＰＥＧ等の所定の圧縮処理を施して、ボディ部１０に内蔵又は着脱自在な不図示の記録メモリに記録する。
【００３２】
次に、上記のような構成のデジタルカメラのカメラＣＰＵ１１及びレンズＣＰＵ２５におけるフォーカスレンズ駆動感度変更動作を、図２に示すフローチャートを参照して説明する。
【００３３】
カメラＣＰＵ１１は、まず、ＭＦ／ＡＦ指示部１７の指示状態を読み込み（ステップＳ１１）、ＡＦ／ＭＦが変更されたか否かを判断する（ステップＳ１２）。ここで、変更されていた場合には、ＭＦ／ＡＦ指示部１７による指示内容を示すＡＦ／ＭＦ情報を通信部１８を介してレンズ部２０に送信する（ステップＳ１３）。
【００３４】
その後、あるいは上記ステップＳ１２で変更がなかったと判断された場合、さらに、表示倍率指示部１６の指示内容を読み込み（ステップＳ１４）、表示倍率が変更されたか否かを判断する（ステップＳ１５）。ここで、変更されていた場合には、表示倍率指示部１６による指示内容を示す表示倍率情報を通信部１８を介してレンズ部２０に送信する（ステップＳ１６）。
【００３５】
その後、あるいは上記ステップＳ１５で変更がなかったと判断された場合、上記ステップＳ１１に戻る。
【００３６】
一方、レンズＣＰＵ２５は、ボディ部１０からの通信部２６を介した通信要求待ちとなっており（ステップＳ２１）、通信要求を受けると、ボディ部１０からの情報を通信部２６を介して取得する（ステップＳ２２）。この場合の情報としては、カメラＣＰＵ１１が上記ステップＳ１３で送信したＡＦ／ＭＦ情報又は上記ステップＳ１６で送信した表示倍率情報であり、レンズＣＰＵ２５はその内容を図示しない内部メモリに保存する。
【００３７】
その後、内部メモリに保存された情報を基に現在ＭＦモードであるか否かを判断し（ステップＳ２３）、ＭＦモードではなくてＡＦモードであれば、上記ステップＳ２１に戻る。
【００３８】
これに対して、ＭＦモードであれば、さらに、内部メモリに保存された情報を基に現在拡大表示が指示されているか否かを判断する（ステップＳ２４）。ここで、拡大表示が指示されていない場合つまり全体表示が指示されている場合には、フォーカスレンズ駆動感度は標準に設定して（ステップＳ２５）、上記ステップＳ２１に戻る。また、拡大表示が指示されている場合には、フォーカスレンズ駆動感度を下げて（ステップＳ２６）、上記ステップＳ２１に戻る。
【００３９】
ここで、フォーカスレンズ駆動感度を下げるとは、例えば、図３に示すように、フォーカスリング２３の回転角に対してフォーカスレンズ２１の駆動量を減らすことである。即ち、単位時間当たりのフォーカスリング２３の回転角が同じであっても、フォーカスレンズ２１の駆動量を、全体表示の場合よりも少なくなるようにする。
【００４０】
さらには、拡大表示時には、フォーカスリング２３の回転角の最低検出量を小さくし、全体表示時よりも小さな駆動ができるようにすることが好ましい。
【００４１】
また、感度を変更する量は、レンズのＦ−Ｎｏ、焦点距離、フォーカス位置に応じた値にすることも可能である。
【００４２】
さらには、拡大方式が表示のみ変更するデジタル拡大方式であるのか、撮像素子１２からの読み出し方式まで変更する拡大方式かに応じて、値を変更するようにしても良い。その場合には、拡大方式が何れの方式であるのかも、カメラＣＰＵ１１からレンズＣＰＵ２５に通信するものとする。
【００４３】
なお、レンズＣＰＵ２５は、全体表示時、拡大表示時の図３のグラフの関係をテーブルとして記憶したメモリを備え、使用するテーブルを切り替えることで感度変更するようにしても良いし、演算式によって駆動量を演算する構成であれば、使用する演算式を切り替えることで感度変更するようにすれば良い。
【００４４】
以上のように、本第１実施形態によれば、ユーザにより回転操作が可能な操作部材であるフォーカスリング２３と、該フォーカスリング２３の回転速度または回転角度と回転方向とを検出し、検出結果に従ってフォーカスレンズ２１の駆動を制御するフォーカスレンズ駆動制御手段として機能するフォーカスリング回転検出部２４、レンズＣＰＵ２５及びフォーカス駆動部２２と、ライブビュー表示倍率の変更を指示する指示部として機能する表示倍率指示部１６と、を有するライブビュー表示が可能なデジタルカメラにおいて、表示倍率指示部１６によるライブビュー表示倍率の変更指示に伴って、フォーカスレンズ２１の駆動感度を変更するようにしたことにより、ライブビュー表示を拡大表示した際の不具合を解消することが可能となる。
【００４５】
特に、ライブビュー表示時にマニュアルフォーカスをする際、表示倍率に応じてフォーカスリング２３の操作に応じたフォーカスレンズ２１の駆動感度を変えることで、ライブビュー拡大表示時でも微妙なマニュアル合焦が容易となるマニュアルフォーカスシステムを供給することができるようになる。
【００４６】
即ち、ライブビュー拡大表示時には、フォーカスレンズ２１の駆動感度を下げることによって、フォーカスリング２３を大きく動かしてもフォーカスレンズ２１はそれ程動かないので、マニュアルフォーカス操作に要求される繊細さが低減される。従って、特に、撮像素子が大きく、レンズＦ値の小さなものが選択可能なレンズ交換式デジタルカメラにおいて好適である。
【００４７】
また、ライブビュー拡大表示時には、フォーカスリング２３の回転角の最低検出量を小さくすることで、ライブビュー全体表示時にはフォーカスレンズ２１が移動されないような僅かなフォーカスリング２３の操作でもフォーカスレンズ２１を微小量移動させることができるので、より微妙なフォーカス合せが可能となる。
【００４８】
なお、ＭＦ／ＡＦ指示部１７は、ボディ部１０側ではなくてレンズ部２０側に設けても良い。その場合には、ＭＦ／ＡＦ指示部１７の状態はレンズＣＰＵ２５で検出して、通信部２６によりボディ部１０のカメラＣＰＵ１１に通信する構成とすれば良い。
【００４９】
同様に、表示倍率指示部１６もボディ部１０側ではなくてレンズ部２０側に設けても良い。その場合にも、表示倍率指示部１６の状態はレンズＣＰＵ２５で検出して、通信部２６によりボディ部１０のカメラＣＰＵ１１に通信する構成とすれば良い。
【００５０】
［第２実施形態］
本第２実施形態は、ライブビュー表示が拡大された場合に手振れ補正がなされた場合でも、見栄えの影響を抑えることが可能なデジタルカメラを提供しようとするものである。
【００５１】
本第２実施形態に係るデジタルカメラは、図４に示すように、ボディ部１０とレンズ部２０とからなるレンズ交換式デジタルカメラである。
【００５２】
上記レンズ部２０は、上記ボディ部１０に対して着脱自在に構成された交換レンズとして提供されるものであり、フォーカスレンズ２１、レンズＣＰＵ２５、通信部２６、手振れ検出部２７、手振れ駆動部２８等を備える。
【００５３】
ここで、フォーカスレンズ２１は、被写体からの光束を結像する撮影光学系である。手振れ検出部２７は、例えば加速度センサや角速度センサを用いて当該デジタルカメラの手振れ状態を検出するものであり、その検出結果をレンズＣＰＵ２５に入力する。また、手振れ駆動部２８は、上記フォーカスレンズ２１を手振れを相殺する方向に移動させる等、光学的に手振れを補正するものである。レンズＣＰＵ２５は、ボディ部１０と通信部２６を介して通信を行って、当該レンズ部２０内の各部を制御するものであり、上記手振れ検出部２７からの検出結果に従って、上記手振れ駆動部２８へ駆動指示を行うことで手振れ補正する機能を備える。また、ＡＦのために、上記フォーカスレンズ２１のフォーカス位置を検出する不図示フォーカスエンコーダの検出結果を通信部２６を介してボディ部１０に送信したりする機能も備える。
【００５４】
一方、ボディ部１０は、カメラＣＰＵ１１、撮像素子１２、画像処理回路１３、表示回路１４、表示部１５、表示倍率指示部１６、通信部１８、手振れ補正指示部１９等を備える。
【００５５】
ここで、カメラＣＰＵ１１は、当該ボディ部１０内の各部を制御するものである。撮像素子１２、画像処理回路１３、表示回路１４、表示部１５、表示倍率指示部１６及び通信部１８は、上記第１実施形態で説明したものと同様であり、よって、その説明は省略する。
【００５６】
手振れ補正指示部１９は、手振れ補正を行うか否かを指示する操作部材であり、これは、専用の操作ボタンとして提供されても良いし、表示部１５に階層メニューを表示して、その中から選択するような形態であっても構わない。カメラＣＰＵ１１は、この手振れ補正指示部１９による指示内容を示す手振れ補正情報を通信部１８を介してレンズ部２０に送信する。
【００５７】
レンズ部２０のレンズＣＰＵ２５は、ボディ部１０からの表示倍率情報とこの手振れ補正情報を通信部２６を介して受信し、それらに従って、以下のように、手振れ補正感度を変更する。
【００５８】
ここで、上記のような構成のデジタルカメラのカメラＣＰＵ１１及びレンズＣＰＵ２５における手振れ補正感度変更動作を、図５に示すフローチャートを参照して説明する。
【００５９】
カメラＣＰＵ１１は、まず、手振れ補正指示部１９の指示状態を読み込み（ステップＳ１７）、手振れ補正の有無が変更されたか否かを判断する（ステップＳ１８）。ここで、変更されていた場合には、手振れ補正指示部１９による指示内容を示す手振れ補正情報を通信部１８を介してレンズ部２０に送信する（ステップＳ１９）。
【００６０】
その後、あるいは上記ステップＳ１８で変更がなかったと判断された場合、さらに、表示倍率指示部１６の指示内容を読み込み（ステップＳ１４）、表示倍率が変更されたか否かを判断する（ステップＳ１５）。ここで、変更されていた場合には、表示倍率指示部１６による指示内容を示す表示倍率情報を通信部１８を介してレンズ部２０に送信する（ステップＳ１６）。
【００６１】
その後、あるいは上記ステップＳ１５で変更がなかったと判断された場合、上記ステップＳ１１に戻る。
【００６２】
一方、レンズＣＰＵ２５は、ボディ部１０からの通信部２６を介した通信要求待ちとなっており（ステップＳ２１）、通信要求を受けると、ボディ部１０からの情報を通信部２６を介して取得する（ステップＳ２２）。この場合の情報としては、カメラＣＰＵ１１が上記ステップＳ１９で送信した手振れ補正情報又は上記ステップＳ１６で送信した表示倍率情報であり、レンズＣＰＵ２５はその内容を図示しない内部メモリに保存する。
【００６３】
その後、内部メモリに保存された情報を基に現在手振れ補正モードであるか否かを判断し（ステップＳ２７）、手振れ補正モードでなければ、上記ステップＳ２１に戻る。
【００６４】
これに対して、手振れ補正モードであれば、さらに、内部メモリに保存された情報を基に現在拡大表示が指示されているか否かを判断する（ステップＳ２８）。ここで、拡大表示が指示されていない場合つまり全体表示が指示されている場合には、手振れ補正感度は標準に設定して（ステップＳ２９）、上記ステップＳ２１に戻る。また、拡大表示が指示されている場合には、手振れ補正感度を上げて（ステップＳ３０）、上記ステップＳ２１に戻る。
【００６５】
ここで、手振れ補正感度を上げるとは、例えば、図６に示すように、手振れの最低検出量を小さくし、全体表示時よりも小さな手振れ量でも手振れ補正駆動ができるようにすることである。
【００６６】
感度を変更する量は、レンズのＦ−Ｎｏ、焦点距離、フォーカス位置に応じた値にすることも可能である。
【００６７】
さらには、拡大方式が表示のみ変更するデジタル拡大方式であるのか、撮像素子１２からの読み出し方式まで変更する拡大方式かに応じて、値を変更するようにしても良い。その場合には、拡大方式が何れの方式であるのかも、カメラＣＰＵ１１からレンズＣＰＵ２５に通信するものとする。
【００６８】
なお、レンズＣＰＵ２５は、全体表示時、拡大表示時の図６のグラフの関係をテーブルとして記憶したメモリを備え、使用するテーブルを切り替えることで感度変更するようにしても良いし、演算式によって駆動量を演算する構成であれば、使用する演算式を切り替えることで感度変更するようにすれば良い。
【００６９】
以上のように、本第２実施形態によれば、光学的に手振れを補正する手振れ補正ユニットとして機能するレンズＣＰＵ２５及び手振れ駆動部２８と、ライブビュー表示倍率の変更を指示する指示部として機能する表示倍率指示部１６と、を有するライブビュー表示が可能なデジタルカメラにおいて、表示倍率指示部１６によるライブビュー表示倍率の変更指示に伴って、手振れ補正感度を変更するようにしたことにより、ライブビュー表示を拡大表示した際の不具合を解消することが可能なデジタルカメラを提供することができる。
【００７０】
特に、ライブビュー表示時に手振れ補正をする際、表示倍率に応じて手振れ補正量を変えることで、ライブビュー拡大時でも破綻のない画面表示を提供できるようになる。
【００７１】
即ち、ライブビュー拡大表示時には、手振れ補正感度を上げることによって、ごく僅かな手振れでも手振れ補正することができるので、少しのＸ−Ｙ方向の移動でも表示画面で動いているのが見えてしまうということが無くなる。
【００７２】
なお、表示倍率指示部１６は、ボディ部１０側ではなくてレンズ部２０側に設けても良い。その場合、表示倍率指示部１６の状態はレンズＣＰＵ２５で検出して、通信部２６によりボディ部１０のカメラＣＰＵ１１に通信する構成とすれば良い。
【００７３】
また、手振れ補正指示部１９も、ボディ部１０側ではなくてレンズ部２０側に設けても良い。その場合には、手振れ補正指示部１９の状態はレンズＣＰＵ２５で検出すれば良い。
【００７４】
さらに、手振れ検出部２７についても、レンズ部２０側ではなくてボディ部１０側に設けても良い。その場合には、手振れ検出部２７の状態はカメラＣＰＵ１１で検出して、通信部１８によりレンズ部２０のレンズＣＰＵ２５に通信する構成とすれば良い。ボディ部１０側に手振れ検出部２７を設けた場合、撮像素子１２で撮像した画像から像ブレを検出することで、手振れ検出する方式を採ることもできる。
【００７５】
また、手振れ駆動部２８も、レンズ部２０側ではなくてボディ部１０側に設けても良い。その場合には、レンズＣＰＵ２５から通信部１８によりボディ部１０へ切り替えた感度による駆動情報を通信する構成としても良いし、レンズＣＰＵ２５から通信部１８によりボディ部１０へ手振れ検出量情報を通信して、カメラＣＰＵ１１で手振れ補正感度を切り替えるようにしても良い。あるいは、手振れ検出部２７もボディ部１０側に設けて、カメラＣＰＵ１１で手振れ補正感度を切り替えるようにしても構わない。
【００７６】
以上実施形態に基づいて本発明を説明したが、本発明は上述した実施形態に限定されるものではなく、本発明の要旨の範囲内で種々の変形や応用が可能なことは勿論である。
【００７７】
例えば、上記第１実施形態と上記第２実施形態とを組み合わせ、フォーカスレンズ駆動感度と手振れ補正感度との両方をライブビュー表示の倍率に応じて切り替えるようにしても良い。
【００７８】
また、上記第１及び第２実施形態は、レンズ交換式デジタルカメラを例に説明したが、コンパクトカメラなどのレンズ一体型デジタルカメラにも適用可能なことは勿論である。
【符号の説明】
【００７９】
１０…ボディ部、  １１…カメラＣＰＵ、  １２…撮像素子、  １３…画像処理回路、  １４…表示回路、  １５…表示部、  １６…表示倍率指示部、  １７…ＭＦ／ＡＦ指示部、  １８…通信部、  １９…手振れ補正指示部、  ２０…レンズ部、  ２１…フォーカスレンズ、  ２２…フォーカス駆動部、  ２３…フォーカスリング、  ２４…フォーカスリング回転検出部、  ２５…レンズＣＰＵ、  ２６…通信部、  ２７…手振れ検出部、  ２８…手振れ駆動部、  １００…デジタルカメラ、  １０１…液晶モニタ、  １０２…拡大表示枠、  ２００…被写体。
【図１】
2010226372.tif 000003
【図２】
2010226372.tif 000004
【図３】
2010226372.tif 000005
【図４】
2010226372.tif 000006
【図５】
2010226372.tif 000007
【図６】
2010226372.tif 000008
【図７】
2010226372.tif 000009
【図８】
2010226372.tif 000010